(57)【要約】【課題】透明な太陽電池と透明な発光素子とをコンパクトに一体に組み合わせた電気掲示器を提供する。【解決手段】内底に反射材４と蓄電回路３を設けてなるパッケージ２の開口内部に、透明回路及び透明発光素子からなる発光モジュール７と、透明回路及び透明太陽電池からなる光電変換モジュール８とを重合配置して形成するとともに、光電変換モジュール８の上面に表示フィルム６と表示保護材５を設けて電気掲示器１を構成する。【選択図】図１
2009229975.tif 000002
【特許請求の範囲】
【請求項１】
内底に反射材と蓄電回路を設けてなるパッケージの開口内部に、透明回路及び透明発光素子からなる発光モジュールと、透明回路及び透明太陽電池からなる光電変換モジュールとが重合配置した構成を有することを特徴とする電気掲示器。
【請求項２】
発光モジュールと光電変換モジュール間に蓄電回路と接続した中間透明電極が形成されてなる請求項１に記載の電気掲示器。
【請求項３】
パッケージ内に重合配置された両モジュールの上方であってパッケージの開口面内に表示保護材と表示フィルムとを重ねて設けてなる請求項１又は２に記載の電気掲示器。
【発明の詳細な説明】
【技術分野】
【０００１】
本発明は、太陽電池と発光素子を同一のパッケージ（筐体）に搭載して構成される電気掲示器に関する。詳しくは、蓄電手段を備え、災害発生などにより電力供給が停止している状況下で、或いは電力供給設備がない場所や同設備が近くにない箇所にも設置して利用することのできる、屋内外に設置される非常用や誘導用、案内用の表示器として好適な電気掲示器の構造に関する。
【背景技術】
【０００２】
図５に示されるような、アモルファスシリコン太陽電池をから取り出される電力でＬＥＤ素子を発光させる発光デバイスが知られている。
同図において、アモルファスシリコン太陽電池１００は、インジウム−スズ酸化物（ＩＴＯ）を透明なガラス基板１０１上に蒸着して透明電極（ＩＴＯ電極）１０２を形成し、この透明電極１０２上にプラズマ成膜法を用いてｐ型（ｐ層）、ｉ型（ｉ層）、ｎ型（ｎ層）の３層のアモルファスシリコン層１０３を形成し、前記ｎ層の下面に金属電極１０４を設けて形成されている。そして、太陽光が入射すると、ｐ層側に正電荷、ｎ層側に負電荷が集まり、電荷の移動に伴い配線１０５を介して透明電極１０２と金属電極１０４に接続したＬＥＤ素子１０６が通電し発光するようになっている。
【０００３】
図５に示した発光デバイスは、アモルファスシリコン太陽電池を薄く形成できるものの、ガラス基板からの電極の取り出しが難しく、また、ＬＥＤ素子との接続配線も手作業で行わなければならず、生産性が低いという問題があった。
これを解消するべく、図６に示されるように、下面に電極１１０を配した透明な上基板１１１をアモルファスシリコン層１１２のｐ層に接するように設け、この上基板１１１の上面に形成されたパターン１１３にＬＥＤ素子１１４を半田パンプ接続するとともに、上面に電極１１５を配したガラスエポキシ樹脂からなる下基板１１６をアモルファスシリコン１１２のｎ層に接するように設け、前記ＬＥＤ素子１１４に接続したパターン１１３と下基板１１６の電極１１５とを導電部材１１７で接続することにより、アモルファスシリコン太陽電池の表面にＬＥＤ素子１１４を容易に実装し、一体に加工することができるように構成した発光デバイスが提案されている（例えば特許文献１参照）。
【０００４】
ところで、近時、透明な材料をエレクトロニクス機器に利用する技術開発が進み、太陽電池用の透明導電膜も実用化されつつある。
例えばアモルファスシリコン太陽電池については、フッ素ドープ酸化スズ（ＦＴＯ）基板のフッ素の膜中の量とＳｎ原料に含まれる塩素の膜中残存量とを適正に制御することで、実用に耐え得る高透過率の透明導電膜が得られることが報告されている。また、シリコン系の太陽電池よりも安価な太陽電池として技術開発がされている色素増感太陽電池についても透明導電膜の最適化の研究がなされ、ＦＴＯ膜と界面を形成する酸化チタンの状態に合わせてＦＴＯ膜を製膜するとともに、所定の粒径の酸化チタンをＦＴＯ膜上に製膜する必要があることが報告されている（例えば非特許文献１参照）。
【０００５】
【特許文献１】特開２００４−１４０１２２号公報
【非特許文献１】白土、「太陽電池用透明導電膜の技術変遷」、電気学会誌、社団法人電気学会、平成１９年１１月、第１２７巻、第１１号、ｐ.７３５−７３８
【発明の開示】
【発明が解決しようとする課題】
【０００６】
図６に示した発光デバイスは、太陽電池とＬＥＤ素子を簡易な作業で一体に接続することができるものの、太陽電池の受光面にＬＥＤ素子を重ねて取り付けると受光面積が狭まって受光機能が低下することから、ＬＥＤ素子に比して受光面積が大きな太陽電池を用いなければならず、構成をコンパクトにすることができないという問題があった。
また、先述の通り、透明な材料をエレクトロニクス機器に利用する技術開発は行われているものの、透明な太陽電池と有機ＥＬ素子などの透明な発光素子とを組み合わせた複合発光デバイスの提案はされていないのが実状である。
【０００７】
本発明は従来技術の有するこのような問題点に鑑み、透明な太陽電池と透明な発光素子とをコンパクトに一体に組み合わせた電気掲示器を提供することを課題とする。
【課題を解決するための手段】
【０００８】
前記課題を解決するため本発明の電気掲示器は、内底に反射材と蓄電回路を設けてなるパッケージの開口内部に、透明回路及び透明発光素子からなる発光モジュールと、透明回路及び透明太陽電池からなる光電変換モジュールとが重合配置して形成された構成を有することを特徴とする。
【０００９】
前記構成の電気掲示器において、発光モジュールと光電変換モジュール間に蓄電回路と接続した中間透明電極を設けることができる。また、パッケージ内に重合形成された両モジュールの上部に、表示保護材と表示フィルムを重ねて設けることができる。
【００１０】
前記構成において、発光モジュールを形成する発光素子とその負荷・制御回路、及び光電変換モジュールを形成する太陽電池とその負荷・制御回路は、パッケージの開口部と相対する発光素子表示面と電池受光面の部分については透明に形成し、それ以外の部分については不透明なパッケージの中に収納して、当該不透明な部分の電気的接続を通常の配線に用いられている線材や端子を用いることが、製作コストを抑え、同時に駆動時の電圧降下を防止するなどの観点から望ましい。
【００１１】
両モジュールの回路は透明電極を含んで形成される。発光モジュールの発光素子には、ＬＥＤや有機ＥＬ又は無機ＥＬなどの自発光素子が用いられる。発光モジュールと光電変換モジュールはともに透明な材料により形成されるものであり、パッケージ内でどちらを上下に配置しても構わないが、受光量確保の観点から、太陽電池である光電変換モジュールをパッケージの開口面側とするのが好ましい。
パッケージの底部に設ける蓄電回路は、外部の電気的設備には接続せずに、太陽電池の発電電圧を開口電圧で３０Ｖ未満とし、且つ２４Ｖ以下の作動電圧として、電気事業法で規定する電気工作物に含まれない構成とするのが好ましい。
反射材は蓄電回路上に設けられ、例えば古河電工の「ＭＣＰＥＴ」（登録商標、超微細発泡光反射板）が好適に用いられる。
表示保護材は、パッケージ内に配された部材を保護するための部材であり、例えば硝子やアクリル、ポリカーボネートなどの透明度が高い材料により形成され、パッケージの開口面内に設置される。表面に反射防止コーティング材をつけてもよい。部材の保護に支障がなければ、表示保護材は設置しなくてもよい。表示フィルムは透明なフィルムの他に、透過型液晶を利用してもよい。
【００１２】
本発明の電気掲示器によれば、太陽光或いは室内照明光を透明太陽電池で受光し、これを電気に変換せしめて蓄電回路で電力貯蔵する一方、蓄電回路から電力供給を受けて透明発光素子を発光させる。発光素子が太陽電池による蓄電電力を電力源としているので、外部電源が不要であり、掲示器の設置コスト及び駆動コストを低廉に抑えることが可能である。
また、パッケージ内に上下に重合配置した太陽電池を含む光電変換モジュールと発光素子を含む発光モジュールはともに透明材料により形成してあるので、どちらのモジュールを上下に配置しても、太陽電池への太陽光の受光が制限を受けたり阻害されたりすることはなく、受光した光を効率良く蓄電することができ、また、太陽電池の受光面積を大きく確保する必要がなく、パッケージ内に光電変換モジュールと発光モジュールを一体に設けることで、配線が簡略化され、掲示器の構成をコンパクトにすることができる。上記構成に加え、シート型キャパシタや電池を用いることによりさらなる構造のコンパクト化が可能である。
【００１３】
本発明の電気掲示器は、非常用や誘導用、案内用などの様々な情報を発光表示する灯具、表示器、サイン板などとして、太陽光や照明光を受光することが可能な屋内外の適宜な場所に設置して使用することが可能である。
例えば誘導灯として用いるときは本発明の電気掲示器を一つだけ設置し、これを夜間に点灯動作させることで誘導機能を果たすが、複数個の電気掲示器をマトリックス状或いは適宜な配置態様に並べて設置してもよい。その場合、各電気掲示器を外部制御回路に接続し、当該回路で各電気掲示器の点灯及び消点を制御するようにしてもよい。太陽光や照明光の受光領域を確保した上で、文字や絵その他の情報を表示した透光板と組み合わせ、これを透過照明する構成としてもよい。
前記透光板を透過照明する場合、特定の情報を表示する固定式の電気掲示器の構成となるが、発光モジュール内にＬＥＤなどの発光素子を複数設け、これらを点灯及び消灯する制御回路を具備することで、表示を変化させる可変式の電気掲示器を構成することができる。表示の変化は、並設した各発光素子の点灯位置を制御することで、表示情報を変え、或いは表示色を変えたりすること（カラー表示）により行われる。前記の如く、複数の電気掲示器を並設して、これらにより表示される情報を変化させてもよい。
【発明を実施するための最良の形態】
【００１４】
本発明の好適な実施の形態を図面を参照して説明する。
図１は本発明の一実施形態の電気掲示器の概略構成断面図、図２は図１におけるパッケッケージ内に重ねて配置されるモジュールの模式図、図３は本発明の他の実施形態の電気掲示器の概略構成断面図、図４は図３におけるパッケージ内に重ねて配置されるモジュールの模式図である。
【００１５】
図１及び図２に示した形態の電気掲示器１は、合成樹脂製のパッケージ２の内底に蓄電回路３を設け、その上に光反射面を上方に向けて反射材４を重ねて設置し、パッケージ２の開口部２ａの面内には、硝子やアクリル、ポリカーボネートなど適宜な透明材からなる表示保護材５と、透過型液晶からなる表示フィルム６とを重ねて設けるとともに、前記反射材４と表示フィルム６との間で上下に重ね合わさるように透明な材料からなる発光モジュール７と光電変換モジュール８とを形成してパッケージ２の開口部内に収納してある。
【００１６】
図２に示されるように、発光モジュール７は、ＬＥＤやＥＬなどからなる透明な発光素子７ａ及び透明導電膜により形成された負荷・制御回路及び電極などの透明回路７ｂからなり、反射材４の上面に重ねて形成してある。また、光電変換モジュール８は、アモルファスシリコン太陽電池などからなる透明な太陽電池８ａ及び透明導電膜により形成された負荷・制御回路及び電極などの透明回路８ｂからなり、前記発光モジュール７の上面に積層形成してある。透明太陽電池８ａの上面には表示フィルム６を重合させてある。
【００１７】
発光モジュール７は、その透明回路７ｂが図示されない配線により蓄電回路３と接続し、蓄電回路３から電力供給を受けて透明発光素子７ａを発光せしめ、その点灯及び消灯を適宜に制御する構造に設けてある。また、光電変換モジュール８は、その透明回路８ｂが図示されない配線により蓄電回路３と接続し、パッケージ２の開口部２ａ内に入射し、表示保護材５と表示フィルム７を透過した太陽光を太陽電池８ａで受光して電気に変換せしめるとともに蓄電回路３へと供給し、蓄電回路３において電力貯蔵がなされる構造に設けてある。
【００１８】
また、図３及び図４に示した形態の電気掲示器１は、前記形態と同様な透明な光電変換モジュール８を反射材４の上面、透明な発光モジュール７を表示フィルム６の下面にそれぞれ形成し、両モジュールの間に中間電位となる透明電極９を形成して両モジュールをパッケージ２の開口部内に収納したものである。
【００１９】
より詳しくは、発光モジュール７の透明回路７ｂを表示フィルム６の下面、光電変換モジュール８の透明回路８ｂを反射材４の上面にそれぞれ接合させ、透明太陽電池８ａの上面と透明発光素子７ａの下面の間で透明電極９を挟んで両モジュールを上下一体に形成し、図示されない配線により透明電極９を蓄電回路３の中間電位の端子に接続してある。このように中間電位となる透明電極９を透明回路７、８とは別体に設けて両モジュール間に形成することにより、透明回路７、８の回路構成が簡易となり、また、蓄電回路３との配線作業を簡略化することが可能である。
【００２０】
なお、図示した形態は一例であり、本発明の電気掲示器は、利用用途や使用条件、設置条件などに応じて適宜な形態に構成することが可能である。ＬＥＤなどの発光素子が具備する光電変換機能を利用することにより、前記光電変換モジュール８の変換回路部分を省略した構成としてもよい。その場合、発光素子が受光し、光電変換された電荷を蓄電回路に蓄えるように回路が構成される。
【００２１】
以上の如く構成される本発明の電気掲示器によれば、電気掲示器の表示内容はその用途により多種多様であるが、全ての情報を黒色や無表示（無発光）によって掲示することはなく、適宜な色表示及び白色表示での表示下で光が透過する。そして、その色表示及び白色表示の裏側にまで透過してくる光を太陽電池で受光及び蓄電して発光素子を発光させるが、不透明な太陽電池ではその配線が表示面に裏写りしてしまうことから、発光する部分と太陽電池の受光部分の両部を透明化することにより、表示に影響や支障を与えなることがなく、明瞭な情報の表示及び掲示が達成することができる。また、底面に達した光が反射材で反射する際にＬＥＤ及びその配線の裏写りが発生するため、ＬＥＤ、太陽電池、及びそれらの配線の何れもが透明であることが必要でありまた好ましく、これらの技術を利用することで、構成がコンパクトで外光利用効率が高い掲示器を構成することが可能である。
【図面の簡単な説明】
【００２２】
【図１】本発明の一実施形態の電気掲示器の概略構成断面図である。
【図２】図１におけるパッケッケージ内に重ねて配置されるモジュールの模式図である。
【図３】本発明の他の実施形態の電気掲示器の概略構成断面図である。
【図４】図３におけるパッケージ内に重ねて配置されるモジュールの模式図である。
【図５】従来の太陽電池とＬＥＤ素子からなる発光デバイスの構成を示した図である。
【図６】従来の発光デバイスの他の例の概略構成断面図である。
【符号の説明】
【００２３】
１  電気掲示器、２  パッケージ、２ａ  開口部  ３  蓄電回路、４  反射材、５  表示保護材、６  表示フィルム、７  発光モジュール、７ａ  透明発光素子、７ｂ  透明回路、８  光電変換モジュール、８ａ  透明太陽電池、８ｂ  透明回路、９  透明電極
【図１】
2009229975.tif 000003
【図２】
2009229975.tif 000004
【図３】
2009229975.tif 000005
【図４】
2009229975.tif 000006
【図５】
2009229975.tif 000007
【図６】
2009229975.tif 000008